(57)【要約】【課題】（Ａ）多数のコイルの挿入作業を、１度に、１個〜４個の分布巻きコイルについて行うようにしながら、作業空間が限られていても実行可能とすること。（Ｂ）コイル自体の整列状態が様々な段階で崩れないようにして、挿入作業の安定化が図れるようにすること。（Ｃ）各コイルエンドについては、挿入作業時に互いに干渉し合わないようにすること。【解決手段】コイル１０の対向している２カ所の挿入部分１２を、コイルエンド１１を両側に突出させた状態で保持する２つのコイル保持器２０と、これら各コイル保持器２０間の各コイルエンド１１の一部を、次のコイル１０の各コイルエンド１１が挿入できる曲げ部１３に折曲する曲げ加工部６０と、当該コイル１０の両挿入部分１２を各スロット４２内に挿入する挿入部５０と、ステータコア４０を支持するとともに、ステータコア４０の回転を行う回転支持台３０と、を備えたこと。【選択図】図１
2017046373.tif 000002
【特許請求の範囲】
【請求項１】
モーターや発電機を代表とする電気機械装置のステータコアまたはロータコアが有する多数のスロット内に、分布巻きしたコイルの多数を、次の各工程を経て挿入する方法。
（１）前記ステータコアまたはロータコアを、回転支持台に支持する工程；
（２）前記コイルの対向している２つの挿入部分を、その線材の整列状態を維持したまま、かつコイルエンドが両端に露出する状態で２つのコイル保持器によって保持する工程；
（３）これらのコイル保持器で保持したコイルの各コイルエンドを、次のコイルの各コイルエンドが挿入できる形状に折曲する工程；
（４）１つのコイルを保持している各コイル保持器を、当該コイルを挿入すべき各スロットに対向させてから、当該コイル保持器を解放するか、当該コイル保持器内に挿入部を挿入して、各挿入部分を各スロット内に放出する工程；
（５）前記回転支持台を作動させて、前記ステータコアまたはロータコアを所定角度回転させてから、１つまたは複数のコイルについて、上記工程（２）〜（４）を順次繰り返す工程。
【請求項２】
分布巻きしたコイルをステータコアまたはロータコアのスロット内に挿入するコイル挿入装置であって、
前記コイルの対向している２カ所の挿入部分を、コイルエンドを両側に突出させた状態で保持する２つのコイル保持器と、
これら各コイル保持器間の各コイルエンドの一部を、次のコイルの各コイルエンドが挿入できる曲げ部に折曲する曲げ加工部と、
前記各挿入部分を保持している各コイル保持器を前記各スロットに対向させたとき、当該コイルの両挿入部分を各スロット内に挿入する挿入部と、
前記ステータコアまたはロータを支持するとともに、前記ステータコアまたはロータコアを所定角度毎の回転を行う回転支持台と、
を備えたことを特徴とするコイル挿入装置。
【発明の詳細な説明】
【技術分野】
【０００１】
本発明は、モーターや発電機を代表とする、電気エネルギーと機械エネルギーとを変換する電気機械装置を構成するための多数のコイルを、多数のスロットに挿入する方法、及びコイル挿入装置に関するものである。
【背景技術】
【０００２】
モーターや発電機を代表とする電気機械装置用のコイルは、ロータ、またはこれを包み込むステータに形成してある多数のティースに巻回する場合、あるいはこれらのティース間に形成してあるスロット内に挿入する場合、非常に困難を伴うものである。何故なら、各ティース間の巻回スペース（スロット）は、非常に狭く、奥深いものであるため、十分な磁束密度を得るための量のコイルを巻回するには熟練を要するからである。
【０００３】
このような電気機械装置の、例えばステータコアにコイルの巻回を高密度で行え、機械化も可能な代表的な方法として、例えば特許文献１等に提案されているような、ティース毎にコイルを集中して巻回する「集中巻」と、特許文献２または特許文献３等に提案されているような、複数のスロットを跨いでコイルを巻き、コイルエンドで異相または同相のコイル同士を重なり合わせる「分布巻」または「螺旋巻」が知られている。
【０００４】
特許文献１に提案されているコイル及び巻線装置では、集中巻していることから、後述する分布巻の場合に比較してコイルエンドを小さくでき、電機機械装置の小型化、高効率化に有効であるが、一方で、図７の（ａ）に示すように、各スリットには、コイルの存在しない部分がどうしても発生する。Ｔ字形状のコアを円環状に一体化しなければならないからである。
【０００５】
分布巻を採用している特許文献２に記載されているコイルは、図８の（ａ）に示すように、コアのスリット間に収納される。このコアは、例えば４８個のスロット間にティースを設けて、夫々のティースを環状のコアバックと一体化したもので、このコアの各ティース間（スリット）に、複数のティースを跨いだ状態で、当該コイルはスリット間に挿入されるのである。
【０００６】
この特許文献２のコイルだけを取り出して示したのが図８の（b）に示すものであり、このコイルは、図９にも示すように、「断面が矩形形状の導体素線をα巻きしたコイルが２連続で形成され、この２連続α巻コイルを小判状に成形して２連続の重ね巻コイルを形成し、固定子のスロットに挿入される。該２連続α巻コイルは巻枠に角線の中心部を押さえ、巻枠に取り付けた角線に２つのローラを相逆向きに回転させながら当てることにより形成される（当該特許文献２の要約より）」ものである。
【０００７】
この特許文献２においては、図８の（b）のように形成したコイルを、例えば図１０に示すような内側治具の多数の溝内に収納しておいて、これをコア内に挿入してから各コイルを対応するスリット内に押し込み、コイル収納完了後に内側治具をコアから引き出して、図８の（ａ）に示すようなコイル付コアとするものであることが記載されている。
【０００８】
この特許文献２に提案されている、図８の（ａ）に示すコイル付コアでは、図示されているように、「コイルエンド部」が「スロット部（コア部）」から上下に大きく突出していて、この様子から、コイルエンド部における「銅損」が大きくなっていると考えられる。「コイルエンド部」が「スロット部（コア部）」から大きく突出していることは、大きな「銅損」、つまりエネルギー損失が大きいことを意味するだけでなく、このようなコアを収納するのには大きなスペースを要することをも意味している。
【０００９】
さらに、特許文献３には、その段落０００４〜０００６において、
「トルクムラが著しく低減されたモータとして、ステータコアのスロットに、予め巻線された複数のコイルの一側辺をそれぞれ挿入した後、前記複数のコイルの他側辺をそれぞれ他のスロットに挿入して、ステータコアの端面から見たときコイルが螺旋状に重なった形態をなすステータ（以下「螺旋巻きステータ」とする）を用いたモータが知られている。こうして得られたステータコアは、コイルエンドが短く、その高さが比較的均一でコンパクトな形状となると共に、モータとしたときのトルクムラが小さく、モータの振動や騒音を低減させることができるという優れた特性を有している。しかしながら、上記のような螺旋巻きステータコアは、コイルの両側辺を一つずつ他のコイルと重ね合わせながらスロットに挿入しなければならず、その作業を機械化することが困難であった。このため、予め巻線されたコイルをステータコアのスロットに手作業で挿入しなければならず、製造作業性が悪く、製造コストが高くなるという問題があった。」
ことが記載されており、この特許文献３の発明は、段落００１１において、
「本発明の目的は、螺旋巻きステータにおける巻線されたコイルをステータコアのスロットに挿入する作業を機械的に効率よく行えるようにして、螺旋巻きステータを工業的に安価に製造できるようにしたステータの製造方法及び製造装置を提供することにある。」
としてなされたことも記載されている。
【００１０】
そして、この特許文献３の段落００１２には、図１１及び図１２にも示すように、
「予め巻線された複数のコイルの一側辺をそれぞれスロットに挿入し、その後、前記複数のコイルの他側辺をそれぞれ他のスロットに挿入して形成されるステータを製造する方法において、
スリット状の複数の保持溝からなりステータコアのスロットのピッチの整数倍ピッチで形成される保持溝群が外周に形成された治具を用い、
予め巻線された複数のコイルの一側辺を前記治具の外側に出し、他側辺を前記保持溝群にそれぞれ挿入した状態で、各コイルを前記治具の円周に沿って配列し、
前記ステータコアの内歯の１又は複数個ずつに対応して立設された複数本のブレード部を有する補助部材を、前記治具の端面に設置して、前記各コイルの一側辺を対応する前記ブレード部の間隙に保持させ、
この治具を前記補助部材側から前記ステータコアの内周に挿入して、前記各コイルの一側辺を、前記補助部材によってガイドしつつ、前記治具の端縁部によって前記ステータコアの対応するスロットに押し込み、
こうしてステータコアの内周に配置された治具を所定角度回動させて、前記保持溝が前記ステータコアの対応するスロットに整合するように位置決めした後、前記各コイルの他側辺を押出し手段によって外径側に押出して、前記ステータコアの対応するスロットに挿入することを特徴とする。」
ことが記載されている。
【００１１】
この特許文献３の技術では、図１１及び図１２に示すように、
「スリット状の複数の保持溝からなりステータコアのスロットのピッチの整数倍ピッチで形成される保持溝群が外周に形成された治具を用い」
るため、この治具がステータコア内に入り得る場合はよいが、比較的小型の電気機械装置であるとステータコアが小さくなるから、このような治具が入る余地がないこともあり得て、実施不可能となることもある。
【００１２】
また、この特許文献３の技術では、
「予め巻線された複数のコイルの一側辺を前記治具の外側に出し、他側辺を前記保持溝群にそれぞれ挿入した状態で、各コイルを前記治具の円周に沿って配列」
すること、及び、
「前記ステータコアの内歯の１又は複数個ずつに対応して立設された複数本のブレード部を有する補助部材を、前記治具の端面に設置して、前記各コイルの一側辺を対応する前記ブレード部の間隙に保持させ」
ることが必要であるが、
（ａ）コイルの他側辺を前記保持溝群にそれぞれ挿入すること
（b）前記各コイルの一側辺を対応する前記ブレード部の間隙に保持させること
が絶対条件となっている。
【００１３】
これら（ａ）及び（b）の作業は、図１３に示すように、分布巻きされたコイルの一側辺及び他側辺について、スロットの数だけあって非常に狭い「保持溝群」及び「ブレード部の間隙」にそれぞれ挿入することを意味するものであり、本願発明者等もこれらの作業を過去において実際に検証したことがあるが、非常に手間と時間の掛かる作業なのである。しかも、この作業では、コイルの一側辺及び他側辺の線材の整列状態を、図１３に示すように、スロット、や「保持溝」の長さ方向（全体が放射状になっている）に一旦調整しなければならないし、整列させるために狭くなっている「ブレード部の間隙」にコイルの一側辺または他側辺を整列状態を維持しながら挿入することは、手作業でしかなし得ないのである。
【００１４】
これら（ａ）及び（b）の言わばプレ作業をどのようにして行うかについては、当該特許文献３に記載されておらず、これらの作業（ａ）及び（b）が具体的に機械化できなければ、当該特許文献３に記載された発明は「螺旋巻きステータを工業的に安価に製造できるように」することはできない筈である。
【００１５】
さらに、この特許文献３の技術では、最終段階において、
「ステータコアの内周に配置された治具を所定角度回動させて、前記保持溝が前記ステータコアの対応するスロットに整合するように位置決めした後、前記各コイルの他側辺を押出し手段によって外径側に押出して、前記ステータコアの対応するスロットに挿入すること」
が必要であるが、必要数のコイルを全スロットに同時に挿入するというこの方法であると、既にスロット内に挿入されているコイルのコイルエンドと、これから挿入しようとするコイルのコイルエンドとが干渉し合って、「ステータコアの内周に配置された治具を所定角度回動」させることができない場合が発生する。
【００１６】
この「コイルエンド同士の干渉」を防ぐためには、コイルエンドを長くして干渉し合わないようする必要があり、コイルエンドを長くすれば、「コイルエンドが短く、その高さが比較的均一でコンパクトな形状となると共に、モータとしたときのトルクムラが小さく、モータの振動や騒音を低減させることができる」（特許文献３の段落０００５）ことにはならないことになる。
【００１７】
ところで、電気機械装置用のコイルは、一般的に、このコイル自体は勿論、このコイルが巻き付けられるべきティースや、コイルが収納されるべきスロットは、均等でかつ等間隔に形成されなければならない。各コイルが作り出す、あるいは各コイルが単位時間当たりに切り取る磁束密度を一定にすることにより、当該電気モータの回転を滑らかにし、安定した機能を発揮させる必要があるからである。
【００１８】
以上を要約すれば、この種の電気機械装置について、コイルエンドを短くして、その高さが比較的均一でコンパクトな形状となると共に、コイルの各スロットに対する占有率を高くすることができて、モータや発電機としたときのトルクムラが小さく、振動や騒音を低減させることができ、さらには、電気機械装置のコイルセット（挿入）を機械的に行えるようにして、電気機械装置自体の製造を容易にするには、
（Ａ）多数のコイルの挿入作業を、１度に、１〜４個の分布巻きコイル、あるいは複数層になったコイルについて行うようにしながら、小型モーターのロータ穴のように、作業空間が限られていても実行可能とすること。
（Ｂ）コイル自体の整列状態が様々な段階で崩れないようにして、挿入作業の安定化が図れるようにすること。
（Ｃ）各コイルエンドについては、挿入作業時に互いに干渉し合わないようにすること。
の、少なくとも３つの点の改良が必要になっているのである。
【先行技術文献】
【特許文献】
【００１９】
特許文献１：特開平１１−３１２６２１号公報、代表図、要約
特許文献２：特開２００９−１９５００５号公報、代表図、要約
特許文献３：特許第４８１３１７２号掲載公報
【発明の概要】
【発明が解決しようとする課題】
【００２０】
そこで、本発明者等は、上記（Ａ）〜（Ｃ）を総合的かつ同時的に解決できるようにするために、装置や治具を使用しながら、各スロット内にコイルをどのように挿入したらよいか、について種々検討を重ねてきた結果、コイルについては、特許文献２等に提案されているような、複数のスロットを跨いで挿入され、コイルエンドで異相または同相のコイル同士を重なり合わせる「分布巻」とすることが効果的であることを知見して、本発明を完成したのである。
【００２１】
すなわち、本発明の目的とするところは、上記（Ａ）〜（Ｃ）を総合的かつ同時的に解決しながら、コイルエンドを短くして、その高さが比較的均一でコンパクトな形状となると共に、コイルの各スロットに対する占有率を高くすることができて、モータや発電機としたときのトルクムラが小さく、振動や騒音を低減させることができ、さらには、電気機械装置のコイルセット（挿入）を機械的に行えるようにして、電気機械装置自体の製造を容易にすることのできるコイルのスロットへの挿入方法、及びコイル挿入装置を提供することにある。
【課題を解決するための手段】
【００２２】
以上の課題を解決するために、まず、請求項１に係る発明の採った手段は、後述する最良形態の説明中で使用する符号を付して説明すると、
「モーターや発電機を代表とする電気機械装置のステータコアまたはロータコア４０が有する多数のスロット４２内に、分布巻きしたコイル１０の多数を、次の各工程を経て挿入する方法。
（１）ステータコアまたはロータコア４０を、回転支持台３０に支持する工程；
（２）コイル１０の対向している２つの挿入部分１２を、その線材の整列状態を維持したまま、かつコイルエンド１１が両端に露出する状態で２つのコイル保持器２０によって保持する工程；
（３）これらのコイル保持器２０で保持したコイル１０の各コイルエンド１１を、次のコイル１０の各コイルエンド１１が挿入できる形状に折曲する工程；
（４）１つのコイル１０を保持している各コイル保持器２０を、当該コイル１０を挿入すべき各スロット４２に対向てから、当該コイル保持器２０を解放するか、当該コイル保持器２０内に挿入部５０を挿入して、各挿入部分１２を各スロット４２内に放出する工程；
（５）回転支持台３０を作動させて、ステータコアまたはロータコア４０を所定角度回転させてから、１つまたは複数のコイル１０について、上記工程（２）〜（４）を順次繰り返す工程。」
である。
【００２３】
この請求項１に係るコイルの挿入方法が対象とするのは、インナーロータタイプ、アウターロータタイプ、あるいは巻線型ロータの各「ステータコア」に形成されている「スロット」であるが、以下の説明では、インナーロータタイプにおけるステータコアを例として行っていくものであって、各請求項中に記載した「ステータコアまたはロータコア」については単に「ステータコア」を代表させるものとする。
【００２４】
また、この請求項１に係る挿入方法で使用するコイルは、前述した特許文献２または特許文献３等に提案されているような、複数のスロットを跨いでコイルを巻き、コイルエンドで異相または同相のコイル同士を重なり合わせる「分布巻」したものである。この分布巻したコイルについては、図２及び図４に示すような「単層重ね巻き」や、図５に示すような「２層重ね巻き」があるが、本発明の説明では、「単層重ね巻き」を中心にした説明を行っていく。
【００２５】
さらに、コイルをスロットに挿入するにあたって、１つのスロット内に１つのコイルを挿入する場合や、１つのスロット内に２つ以上のコイルを挿入する場合があるが、本発明の説明では分かり易くするために、１つのスロット内に１つのコイルを挿入する場合を中心に説明して行くこととする。
【００２６】
さて、ステータコア４０は、図１及び図３に示すように、その中心にあるロータ穴４１に向けて開口している多数のスロット４２を備えているものであり、本発明に係る挿入方法は、これらのスロット４２内に、分布巻きされた多数のコイル１０をロータ穴４１を通して供給しながら挿入するものである。
【００２７】
このようなステータコア４０のスロット４２に挿入されるべきコイル１０は、前述したように、例えば従来技術を示す図７及び図８の各（b）に示すような「分布巻」されたものである。このコイル１０は、複数の線材を纏めて巻筒上に巻回したり、水ホースの巻き取りのように、巻筒上に複数層にわたって巻回する等、機械的は勿論、種々な手法によって形成されるが、その構成上の基本は、「分布巻」されていることである。
【００２８】
分布巻された直後のコイル１０は、これを構成している線材がきれいに整列しているものである。この整列状態のままのコイル１０をステータコア４０の各スロット４２内に挿入すると、各スロット４２内での線材は綺麗に整列したままとなる。この整列状態のままコイル１０がスロット４２内に挿入されるのが最も望ましいことであるから、本挿入方法では、コイル１０のスロット４２内に挿入されるべき左右の挿入部１２を、後述するコイル保持器２０にて保持することになる。
【００２９】
コイル１０の挿入部１２は、スロット４２内に挿入される部分であり、コイル１０としての巻回完了時には具体的にどの部分になるかは決定されていないが、上述した各コイル保持器２０によって保持された部分が挿入部１２となるものである。そして、この挿入部１２以外のコイル保持器２０から突出する部分がコイルエンド１１となるのである。分布巻されたコイル１０は、複数のスロット４２を跨いで両端に位置する２個のスロット４２内に挿入されるものであるから、挿入部１２は左右２箇所となり、これらの挿入部１２の間がコイルエンド１１となるのである。
【００３０】
本発明の挿入方法では、まず、第１工程で、図１及び図３に示すように、ステータコア４０を回転支持台３０に支持するのである。この回転支持台３０は、ステータコア４０を支持した状態で段階的に回転させるものであり、この場合の回転はロータ穴４１の中心を中心軸とするものである。また、ステータコア４０の段階的な回転とは、隣接する各スロット４２間の角度の整数倍の角度を１段階の回転角として、この回転角による回転を複数繰り返すことにより、ステータコア４０全体を１回転させるものである。
【００３１】
このように、ステータコア４０を回転支持台３０に支持させるのは、各コイル１０の挿入位置や方向は変えないで、ステータコア４０のコイル１０を挿入したいスロット４２を当該回転支持台３０によって常に一定の位置に配置するためである。これにより、後述する第５工程において、１つまたは複数のコイル１０を対象となる各スロット４２に挿入した後に、次の１つまたは複数のコイル１０を挿入するという作業を、連続的に繰り返すことができることになるのである。
【００３２】
第２工程では、分布巻したコイル１０の互いに対向している２つの挿入部分１２を、コイルエンド１１が両端に露出する状態で、２つのコイル保持器２０によってそれぞれ保持するのであり、これらのコイル保持器２０によって、各挿入部１２を構成している線材の整列状態が維持されることになる。この第２工程で採用される各コイル保持器２０は、例えば図２に示すような「二枚貝」のようなものであり、コイル１０の各挿入部１２を挟み込んでその整列状態を保持するものである。また、各コイル保持器２０は、次の第３工程や第４工程における作業中では、できるだけ、線材の整列状態を維持するとともに、コイル１０のハンドリングを容易にするものである。
【００３３】
換言すれば、この第２工程におけるコイル保持器２０は、上述した、
（Ｂ）コイル自体の整列状態が様々な段階で崩れないようにして、挿入作業の安定化が図れるようにすること。
を実現できるようにするものなのである。勿論、これらのコイル保持器２０によってコイル１０を保持したときには、図２の（b）に示すように、上下のコイルエンド１１が両端に露出する状態となる。
【００３４】
第３工程では、これらのコイル保持器２０で保持したコイル１０の各コイルエンド１１を、次のコイル１０の各コイルエンド１１が挿入できる形状に折曲するものであるが、この折曲には様々な具体化が考えられる。図４に、このコイルエンド１１の折曲状態の一具体例を示すが、図４の（c）に示すように、２つのコイル保持器２０によって保持されたコイル１０の上側のコイルエンド１１に曲げ部１３が形成される。この例の場合、２つのコイル保持器２０は、当該コイル１０が挿入されるべき２つのスロット４２のなす角で配置されており、この図４の（c）中には、ステータコア４０（図示右側の点線）、ロータ穴４１（図示左側の点線）、及びスロット４２も示してある。そして、この曲げ部１３は、図４の（ａ）にも示すように、ステータコア４０の外周で上側に向けて順次傾斜させたものである。
【００３５】
以上のような曲げ部１３が先に挿入されたコイル１０に形成してあれば、第４工程を実施する際に、次のスロット４２に挿入されるべきコイル１０の曲げ部１３の先端が、挿入完了している先の曲げ部１３の手前側から順に乗り上げることができるから、各コイル１０の連続挿入にあたって、各コイル１０は互いに干渉し合わないことになるのであり、
（Ｃ）各コイルエンドについては、挿入作業時に互いに干渉し合わないようにすること。
ができるのである。
【００３６】
第４工程では、まず、１つのコイル１０を保持している各コイル保持器２０を、図３に示すように、当該コイル１０を挿入すべき各スロット４２に対向させる。このときには、図３、及び図４の（c）に示すように、各コイル保持器２０の放出口２２は各スロット４２の軸方向開口４２aに一致する。次いで、当該コイル保持器２０を解放するか、当該コイル保持器２０内に挿入部５０を挿入して、各挿入部分１２を各スロット４２内に放出する。
【００３７】
つまり、この段階では、コイル１０の各挿入部１２を対応するスロット４２内に挿入するのであるが、その手段としては、コイル１０自体の弾力性を利用する場合は、各コイル保持器２０を単に解放すればよく、積極的にスロット４２内に挿入した場合は、各コイル保持器２０内に挿入部５０を挿入して「心太方式」でコイル保持器２０が保持していたコイル１０の挿入部１２をスロット４２内に押し出すのである。
【００３８】
この第４工程では、コイル１０の挿入部１２がスロット４２内に挿入されるまでの間は、挿入部１２はコイル保持器２０によって保持状態にあるか、コイル保持器２０に案内され得る状態にある。このため、各挿入部１２は、その整列状態が各コイル保持器２０によって維持された状態にあり、非常に狭い軸方向開口４２aからスロット４２内への挿入が安定してなされる、つまり他にひっかることなくなされるのである。
【００３９】
１つのコイル１０についての両挿入部１２の、対応する各スロット４２内に挿入されると、両挿入部１２間にあったコイルエンド１１は、例えば図６に示すように位置することになる。特に、コイルエンド１１の曲げ部１３は、スロット４２の軸方向開口４２aとは反対側に主として曲げてあり、かつ図４の（ａ）〜（c）に示すような形状になっているから、次のコイル１０を隣接して挿入するに際して、次のコイル１０の曲げ部１３が干渉することはない。つまり、上述した、
（Ｃ）各コイルエンドについては、挿入作業時に互いに干渉し合わないようにすること。
ができるのである。
【００４０】
また、以上の第１工程から第４工程で行う作業は、ステータコア４０の例えばロータ穴４１内に２個〜８個のコイル保持器２０とともに、１個〜４個程度のコイル１０の送り込みを行って、コイル１０の各挿入部１２のスロット４２内への挿入を行うものであって、必要とされるコイル１０の全部を同時に挿入するのではない。つまり、この請求項１に係る挿入方法では、特許文献３等に提案されている「インサーター」を使用して全てのコイル１０の同時挿入を行うものではないから、ステータコア４０のロータ穴４１の内径が小さくても、つまりモーターや発電機全体の大きさが小さい場合であっても、コイル１０の機械的な挿入作業が行えるのである。これに対して、「インサーター」を使用したコイル１０の同時挿入では、一定以上の大きさ（ロータ穴４１の内径がインサーターの外径より大きい場合）の電気機械装置しか製造できない。
【００４１】
さて、以上のようにして先のコイル１０の挿入が済めば次のコイル１０の挿入準備を行うのであるが、それが第５工程でいう、例えばステータコア４０の回転支持台３０による所定角度の回転である。この所定角度は、次のようにして決められる。
【００４２】
一般的なステータコア４０は、図１及び図３に示すように、多数のスロット４２を放射状に配置したものとなっているのであるが、隣接し合うスロット４２の、ステータコア４０の半径方向の各角度を同じにすることにより、どの部分でも均等な磁力を発生できるようにしてある。一方、分布巻したコイル１０は、両挿入部１２が同じ数のスロット４２を隔てて、該当するスロット４２内にそれぞれ挿入される。なお、複数のコイル１０が使用される場合には、例えば図８の（b）に示すように、各コイル１０を構成している線材を切断しないことによって電気的に連続したものとし、各挿入部１２については別々に纏めたものとする。
【００４３】
ステータコア４０に形成されるスロット４２の数としては、１個のコイル１０についての２個の挿入部１２の挿入箇所、及び近年の電気機械装置の一般的な「３相形態」とするために、「２×３」の整数倍として設定されている場合が多い。
【００４４】
以上を前提とすると、回転支持台３０を回転させるべき「所定角度」は、１個毎のコイル１０を順に挿入していく場合には、隣接し合うスロット４２間のなす角であり、「２×３」の整数倍のスロット４２に対する挿入が済んだ後では、スロット４２間のなす角の「２×３」の整数倍の角度である。これを図６で説明すると、図示した挿入済みのコイル１０に対して、以降の５個のコイル１０を順に挿入していく場合の所定角度は、隣接し合うスロット４２間のなす角である。連続した６個のコイル１０を挿入した後には、挿入部１２が既に挿入されたスロット４２が並ぶから、これらをスロット４２間のなす角の「２×３」の整数倍の角度だけ飛ばす必要があるから、この飛ばす必要のある「所定角度」がその場合の回転支持台３０を回転させるべき所定角度である。
【００４５】
つまり、この第５工程では、ステータコアまたはロータコア４０を所定角度回転させてから、１つまたは複数のコイル１０について、上記第２工程〜第４工程を順次繰り返すのであるが、これにより、最終的に全スロット４２内に各コイル１０の挿入部１２が挿入されることになる。そして、当然のことながら、
（Ａ）多数のコイルの挿入作業を、１度に、１個〜４個の分布巻きコイル、あるいは複数層になったコイルについて行うようにしながら、小型モーターのロータ穴のように、作業空間が限られていても実行可能とすること。
ができるのである。
【００４６】
従って、この請求項１に係る挿入方法によれば、上記（Ａ）〜（Ｃ）を総合的かつ同時的に解決して、コイルエンドを短くして、その高さが比較的均一でコンパクトな形状となると共に、コイルの各スロットに対する占有率を高くすることができて、モータや発電機としたときのトルクムラが小さく、振動や騒音を低減させることができ、さらには、電気機械装置のコイルセット（挿入）を機械的に行えるのである。
【００４７】
上記課題を解決するために、請求項２に係る発明の採った手段は、後述する実施の形態中で使用する符号を付して説明すると、
「分布巻きしたコイル１０をステータコアまたはロータコア４０のスロット４２内に挿入するコイル挿入装置１００であって、
コイル１０の対向している２カ所の挿入部分１２を、コイルエンド１１を両側に突出させた状態で保持する２つのコイル保持器２０と、
これら各コイル保持器２０間の各コイルエンド１１の一部を、次のコイル１０の各コイルエンド１１が挿入できる曲げ部１３に折曲する曲げ加工部６０と、
各挿入部分１２を保持している各コイル保持器２０を各スロット４２に対向させたとき、当該コイル１０の両挿入部分１２を各スロット４２内に挿入する挿入部５０と、
ステータコアまたはロータコア４０を支持するとともに、このステータコアまたはロータコア４０を所定角度毎の回転を行う回転支持台３０と、
を備えたことを特徴とするコイル挿入装置１００」
である。
【００４８】
この請求項２に係るコイル挿入装置１００は、前述したような分布巻きしたコイル１０をステータコアまたはロータコア４０（以下単にステータコアという）のスロット４２内に挿入するものであって、図１及び図３に示すように、ステータコア４０を回転支持する回転支持台３０と、少なくとも２つのコイル保持器２０と、各コイル１０のコイルエンド１１を曲げる曲げ部１３と、各コイル保持器２０が保持している各挿入部１２を送り出す挿入部５０と、を備えたものである。
【００４９】
各コイル保持器２０は、例えば図２に示すような「二枚貝」のようなものであり、分布巻したコイル１０の互いに対向している２つの挿入部分１２をそれぞれ挟み込んで、コイルエンド１１を両端に露出させた状態でそれぞれ保持するものであり、各挿入部１２を保持した状態のコイル保持器２０は、各挿入部１２を構成している線材の整列状態を変化しないように維持するものである。また、各コイル保持器２０は、各工程における作業中では、各挿入部１２における線材の整列状態を維持するとともに、コイル１０のハンドリングを容易にするものである。
【００５０】
なお、後述する実施形態におけるコイル保持器２０は、図２〜図４に示すように、一方の辺で蝶番構造によって開閉可能とした略四角形状の２枚の板によって構成し、その他方の辺には、挟み込んでいた各挿入部１２を放出するための放出口２２としたものである。そして、コイル１０を保持した当該コイル保持器２０は、図１に示す挿入部５０の先端等によってステータコア４０のロータ穴４１内に送り込まれ、この挿入部５０が有する押出し板等によって各挿入部１２を該当するスロット４２内に放出するのである。
【００５１】
曲げ加工部６０は、各コイル保持器２０間の各コイルエンド１１の一部を、図４の（ａ）〜（c）に示すように、次のコイル１０の各コイルエンド１１が挿入できる曲げ部１３に折曲するものであり、後述する実施形態では、図２に示すように、本発明に係るコイル挿入装置１００において使用される各コイル１０の巻回製造機をも兼ねたものである。
【００５２】
なお、この曲げ加工部６０は、図１に示すような纏まった部分として形成する他、図１に示すステータコア４０の裏側に設置されるものとしても形成されることがあり、また図１に示す挿入部５０と一体化されたものとしても形成されることもある。
【００５３】
挿入部５０は、各挿入部分１２を保持している各コイル保持器２０を各スロット４２に対向させたとき、当該コイル１０の両挿入部分１２を各スロット４２内に挿入するものである。このため、挿入部５０は、回転支持台３０上のステータコア４０のロータ穴４１中心に対して進退可能なものとされるとともに、各コイル保持器２０の支持や、この支持角度の変更も行えるものとしたものである。
【００５４】
さて、当該コイル挿入装置１００を構成している回転支持台３０は、図１及び図３に示すように、ステータコア４０を支持するとともに、この支持したステータコア４０の所定角度毎の回転を行うものである。「所定角度」とは、上記請求項１に係る挿入方法で述べたように、１個毎のコイル１０を順に挿入していく場合には、隣接し合うスロット４２間のなす角であり、「２×３」の整数倍のスロット４２に対する挿入が済んだ後では、スロット４２間のなす角の「２×３」の整数倍の角度である。
【００５５】
従って、この請求項２に係るコイル挿入装置１００は、上記請求項１に係る挿入方法を実際に実施することができ、上記（Ａ）〜（Ｃ）を総合的かつ同時的に解決することができるのであり、コイルエンドを短くして、その高さが比較的均一でコンパクトな形状となると共に、コイルの各スロットに対する占有率を高くすることができて、モータや発電機としたときのトルクムラが小さく、振動や騒音を低減させることができ、さらには、電気機械装置のコイルセット（挿入）を機械的に行うことができ、電気機械装置自体の製造を容易にすることができるものとなっているのである。
【発明の効果】
【００５６】
以上、説明した通り、請求項１に係る発明は、
「モーターや発電機を代表とする電気機械装置のステータコアまたはロータコア４０が有する多数のスロット４２内に、分布巻きしたコイル１０の多数を、次の各工程を経て挿入する方法。
（１）ステータコアまたはロータコア４０を、回転支持台３０に支持する工程；
（２）コイル１０の対向している２つの挿入部分１２を、その線材の整列状態を維持したまま、かつコイルエンド１１が両端に露出する状態で２つのコイル保持器２０によって保持する工程；
（３）これらのコイル保持器２０で保持したコイル１０の各コイルエンド１１を、次のコイル１０の各コイルエンド１１が挿入できる形状に折曲する工程；
（４）１つのコイル１０を保持している各コイル保持器２０を、当該コイル１０を挿入すべき各スロット４２に対向させてから、当該コイル保持器２０を解放するか、当該コイル保持器２０内に挿入部５０を挿入して、各挿入部分１２を各スロット４２内に放出する工程；
（５）回転支持台３０を作動させて、ステータコアまたはロータコア４０を所定角度回転させてから、１つまたは複数のコイル１０について、上記工程（２）〜（４）を順次繰り返す工程」
に、また、請求項２に係る発明においては、
「分布巻きしたコイル１０をステータコアまたはロータコア４０のスロット４２内に挿入するコイル挿入装置１００であって、
コイル１０の対向している２カ所の挿入部分１２を、コイルエンド１１を両側に突出させた状態で保持する２つのコイル保持器２０と、
これら各コイル保持器２０間の各コイルエンド１１の一部を、次のコイル１０の各コイルエンド１１が挿入できる曲げ部１３に折曲する曲げ加工部６０と、
各挿入部分１２を保持している各コイル保持器２０を各スロット４２に対向させたとき、当該コイル１０の両挿入部分１２を各スロット４２内に挿入する挿入部５０と、
ステータコアまたはロータコア４０を支持するとともに、ステータコア４０を所定角度毎の回転を行う回転支持台３０と、
を備えたこと」
に、それぞれその構成上の特徴があり、これにより、
（Ａ）多数のコイルの挿入作業を、１度に、１個〜４個の分布巻きコイル、あるいは複数層になったコイルについて行うようにしながら、小型モーターのロータ穴のように、作業空間が限られていても実行可能とすること。
（Ｂ）コイル自体の整列状態が様々な段階で崩れないようにして、挿入作業の安定化が図れるようにすること。
（Ｃ）各コイルエンドについては、挿入作業時に互いに干渉し合わないようにすること。
の、少なくとも３つの点の改良ができるのである。
【００５７】
また、本発明に係る挿入方法及びコイル挿入装置１００は、上記（Ａ）〜（Ｃ）を総合的かつ同時的に解決することができるのであるから、コイルエンドを短くして、その高さが比較的均一でコンパクトな形状となると共に、コイルの各スロットに対する占有率を高くすることができて、モータや発電機としたときのトルクムラが小さく、振動や騒音を低減させることができ、さらには、電気機械装置のコイルセット（挿入）を機械的に行え、電気機械装置自体の製造を容易にすることができるのである。
【図面の簡単な説明】
【００５８】
【図１】本発明に係るコイル挿入装置１００を示す概略斜視図である。
【図２】同コイル挿入装置１００にて使用されるコイル１０の製法とコイル保持器２０との位置関係を示すもので、（a)は正面図、（b）は側面図、（c）は平面図である。
【図３】コイル１０の挿入対象であるステータコア４０と、コイル挿入装置１００の構成部材である回転支持台３０との位置関係を示す拡大正面図（ａ）と、挿入部５０の一例である押刃２３の拡大部分正面図（ｂ）である。
【図４】２つのコイル保持器２０で各挿入部１２を保持したコイル１０のコイルエンド１１に曲げ部１３を形成したときの様子を示すもので、（a)は正面図、（b）は側面図、（c）は平面図である。
【図５】本発明において使用するコイル１０の他の例を示すもので、（a)は平面図、（b）は巻回途中にあるコイル１０の平面図である。
【図６】１つのコイル１０について、２つの挿入部１２をスロット４２に挿入し終わった状態を示すステータコア４０の部分拡大平面図である。
【図７】特許文献１にて提案されている技術を示すもので、（ａ）はステータの平面図、（b）はコイルの斜視図である。
【図８】特許文献２にて提案されている技術を示すもので、（ａ）はステータの斜視図、（b）はコイルの斜視図である。
【図９】特許文献２で提案されているコイルを（ａ）〜（c）の順で製造する方法を示す斜視図である。
【図１０】特許文献２に提案されている、コイル挿入装置の斜視図である。
【図１１】特許文献３に提案されている、コイル挿入装置の部分斜視図である。
【図１２】特許文献３に提案されている、コイル挿入装置の他の部分斜視図である。
【図１３】特許文献３に提案されている、コイル挿入装置において、コイルが、補助部材の間隙と、ステータコアのスロットとに挿入されている様子を示す部分拡大斜視図である。
【発明を実施するための形態】
【００５９】
以上のように構成した各請求項に係る発明を、図面に示した実施の形態であるコイル挿入装置１００、及びこのコイル挿入装置１００に採用されるコイル１０を中心に説明すると、図１には、本発明に係るコイル挿入装置１００の実施形態が示してある。このコイル挿入装置１００の主たる構成部材は、図３に示したようなステータコア４０を支持するとともに、ステータコア４０の所定角度毎の回転を行う回転支持台３０と、図２に示したコイル１０の対向している２カ所の挿入部分１２を、コイルエンド１１を両側に突出させた状態で保持する２つのコイル保持器２０と、これら各コイル保持器２０間の各コイルエンド１１の一部を、次のコイル１０の各コイルエンド１１が挿入できる曲げ部１３に折曲する曲げ加工部６０と、各挿入部分１２を保持している各コイル保持器２０を各スロット４２に対向させたとき、当該コイル１０の両挿入部分１２を各スロット４２内に挿入する挿入部５０である。
【００６０】
このコイル挿入装置１００は、分布巻きしたコイル１０をステータコア４０のスロット４２内に挿入するものであるが、このステータコア４０には、一般的に、インナーロータタイプ、アウターロータタイプ、あるいは巻線型ロータのものがある。また、これらのタイプのステータコア４０の各「ステータコア」には「スロット４２」が形成されているのであるが、以下の説明では、インナーロータタイプにおけるステータコアを例として行っていくものであって、各請求項中に記載した「ステータコアまたはロータコア」については単に「ステータコア４０」を代表させるものとする。
【００６１】
さて、ステータコア４０は、図１及び図３に示したように、その中心にあるロータ穴４１に向けて開口している多数のスロット４２を備えているものであり、本発明に係る挿入方法では、これらのスロット４２内に、分布巻きされた多数のコイル１０をロータ穴４１を通して供給しながら挿入するものである。
【００６２】
さて、当該コイル挿入装置１００を構成している回転支持台３０は、図１及び図３に示したように、ステータコア４０を支持するとともに、この支持したステータコア４０の所定角度毎の回転を行うものである。「所定角度」とは、１個毎のコイル１０を順に挿入していく場合には、隣接し合うスロット４２間のなす角であり、「２×３」の整数倍のスロット４２に対する挿入が済んだ後では、スロット４２間のなす角の「２×３」の整数倍の角度である。
【００６３】
また、この実施形態で使用するコイル１０は、前述した特許文献２または特許文献３等に提案されているような、複数のスロットを跨いでコイルを巻き、コイルエンド１１で異相または同相のコイル同士を重なり合わせる「分布巻」したものである。この分布巻したコイル１０については、図２及び図４に示したような「単層重ね巻き」や、図５に示したような「２層重ね巻き」がある。
【００６４】
図２及び図４に示したコイル１０は、そのコイルエンド１１となる部分を一対のブロックフック１４に掛けるようにしながら、これら両フック１４をその間の寸法を変えないで回転させる間に、コイル１０となる１本または複数本の線材を順に繰り出すことにより形成したものである。このように形成されたコイル１０の、両フック１４間は、ステータコア４０のスロット４２内に挿入されるべき挿入部１２となるのである。そして、これらの挿入部１２は、図２及び図４に示したように、その線材の整列状態を維持した状態で、コイル保持器２０によって保持されるのである。
【００６５】
図５に示したコイル１０は、内側コイル１０aと外側コイル１０bの２層が重ね巻きされたものであり、図５の（b)に示したように、第１エンド１１aに線材を巻回して内側コイル１０aを形成してから、第１エンド１１aの外側の第２エンド１１bに線材を巻回して外側コイル１０bを形成することによって完成されるものである。これらの第１エンド１１a及び第２エンド１１bに位置する部分がコイルエンド１１となり、その他の部分が挿入部１２となるのである。そして、各挿入部１２は、図５に示したように、その線材の整列状態を維持した状態で、コイル保持器２０によって保持されるのである。
【００６６】
上述した各コイル保持器２０は、例えば図２に示すような「二枚貝」のようなものであり、図３または図４に示したように、分布巻したコイル１０の互いに対向している２つの挿入部分１２をそれぞれ挟み込んで、コイルエンド１１を両端に露出させた状態でそれぞれ保持するものである。これらのコイル保持器２０は、各挿入部１２を構成している線材の整列状態を変化しないように維持するとともに、コイル１０のハンドリングを容易にするものである。
【００６７】
本実施形態におけるコイル保持器２０は、図２〜図４に示したように、一方の辺で蝶番構造によって開閉可能とした略四角形状の２枚の板によって構成し、その他方の辺には、挟み込んでいた各挿入部１２を放出するための放出口２２としたものである。そして、コイル１０を保持した当該コイル保持器２０は、図１に示した挿入部５０の先端等によってステータコア４０のロータ穴４１内に送り込まれ、この挿入部５０が有する押出し板等によって各挿入部１２を該当するスロット４２内に放出できるものとしてある。
【００６８】
各挿入部１２を該当するスロット４２内に放出する場合、既に挿入されているコイル１０のコイルエンド１１と干渉しないようにしなければならない。そこで、これらのコイル保持器２０で保持したコイル１０の各コイルエンド１１は、次のコイル１０の各コイルエンド１１が挿入できる形状に曲げ加工部６０によって折曲される。この折曲には様々な具体化が考えられる。図４に、このコイルエンド１１の折曲状態の一具体例を示すが、図４の（c）に示したように、２つのコイル保持器２０によって保持されたコイル１０の上側のコイルエンド１１に曲げ部１３が形成される。２つのコイル保持器２０は、当該コイル１０が挿入されるべき２つのスロット４２のなす角で配置されており、この図４の（c）中の点線は、ステータコア４０（図示右側の点線）及びロータ穴４１（図示左側の点線）の外周を示している。そして、この曲げ部１３は、図４の（ａ）にも示したように、ステータコア４０の外周で上側に向けて順次傾斜させてある。
【００６９】
曲げ加工部６０は、各コイル保持器２０間の各コイルエンド１１の一部を、図４の（ａ）〜（c）に示すように、次のコイル１０の各コイルエンド１１が挿入できる曲げ部１３に折曲するものであり、本実施形態では、図２に示したように、各コイル１０の巻回製造機をも兼ねたものである。
【００７０】
この曲げ加工部６０は、図１に示したようなコイル挿入装置１００として纏まったものとして形成する他、図１に示したステータコア４０の裏側に設置されるものとしても形成されることがあり、また図１に示した挿入部５０と一体化されたものとしても形成されることもある。
【００７１】
挿入部５０は、各挿入部分１２を保持している各コイル保持器２０を各スロット４２に対向させたとき、当該コイル１０の両挿入部分１２を各スロット４２内に挿入するものである。このため、挿入部５０は、回転支持台３０上のステータコア４０のロータ穴４１中心に対して進退可能であるとともに、各コイル保持器２０の支持や、この支持角度の変更も行えるものとしてある。
【００７２】
この挿入部５０でのコイル１０の挿入は、具体的には、上記コイル保持器２０内に長方形状の押し込み板を押し込む方式や、図３の（ｂ）に示したような押刃２３によって行われる。この押刃２３は、先の尖った方からコイル保持器２０内のコイル１０背面側に挿入されて、「刃」に該当する丸みを帯びた部分で、コイル１０を押し出すものである。つまり、この押刃２３は、その長手方向に進められると、この長手方向に直交する方向にコイル１０を押し出すことになるものである。
【００７３】
また、スロット４２内に入れられたコイル１０は、このスロット４２の軸方向開口４２ａに挿入されるウエッジ４３によって、当該スロット４２から飛び出さないようにされる。このウエッジ４３は、様々な段階で挿入されるが、本実施形態では、図３の（ａ）、及び図４の（ｃ）に示したように、コイル保持器２０内でコイル１０の内側となる部分にあらかじめ挿入しておき、これをコイル１０の押し出し時に同時に押し出す方法を採用している。また、上記押刃２３に、図３の（ｂ）に示したように、ウエッジ保持部２４を形成しておいて、このウエッジ保持部２４に保持させておいたウエッジ４３をコイル１０とともにスロット４２内に押し込むことも考えている。
【符号の説明】
【００７４】
１００    コイル挿入装置
１０    コイル
１０a  内側コイル
１０b  外側コイル
１１    コイルエンド
１１a  第１エンド
１１b  第２エンド
１２    挿入部
１３    曲げ部
１４    フック
２０    コイル保持器
２２    放出口
２３    押刃
２４    ウエッジ保持部
３０    回転支持台
４０    ステータコア
４１    ロータ穴
４２    スロット
４２a  軸方向開口
４３    ウエッジ
５０    挿入部
６０    曲げ加工部
【図１】
2017046373.tif 000003
【図２】
2017046373.tif 000004
【図３】
2017046373.tif 000005
【図４】
2017046373.tif 000006
【図５】
2017046373.tif 000007
【図６】
2017046373.tif 000008
【図７】
2017046373.tif 000009
【図８】
2017046373.tif 000010
【図９】
2017046373.tif 000011
【図１０】
2017046373.tif 000012
【図１１】
2017046373.tif 000013
【図１２】
2017046373.tif 000014
【図１３】
2017046373.tif 000015